(57)【要約】【課題】解決しようとする問題点は市販されているシャツ全般に襟の構造を改良することなく立体的な美観のあるロールを襟に形成させること。【解決手段】棒状の本体1，1と樋形状の挟着具2，2と略三角形状の襟支持板3，3を一対とし、挟着具2，2の主体部2a，2aの後方に接続部2b，2bを設け、本体1，1の下方部と挟着具2，2の接続部2b，2bを連結する軸4，4によって本体1，1と挟着具2，2を回動自在に軸支し、本体1，1の下方三分の一の位置と襟支持板3，3の下方部を連結する軸5，5によって本体1，1と襟支持板3，3を、回動自在に軸支するシャツ襟ロール具を襟に挟み込ませることによって市販されているシャツ全般に襟の構造を改良することなく襟に立体的な美観のあるロールを形成させることができる。【選択図】  図1
2007146308.tif 000002
【特許請求の範囲】
【請求項１】
襟中部14から襟下部15に密着させる棒状の本体1，1と、襟台16裏側から襟を挟着する樋形状の挟着具2，2と、襟台16と襟上部13裏側との間に挿入する略三角形状の襟支持板3，3と、挟着具2，2の主体部2a，2aの後方に接続部2b，2bを設け、本体1，1の下方部と挟着具2，2の接続部2b，2bを連結する軸4，4と、本体1，1の下方三分の一の位置と襟支持板3，3の下方部を連結する軸5，5を一対とし、軸4，4によって本体1，1と挟着具2，2を回動自在に軸支し、軸5，5によって本体1，1と襟支持板3，3を、回動自在に軸支する、本体1，1および襟支持板3，3と挟着具2，2によって襟を挟み込ませるシャツ襟ロール具。
【請求項２】
襟中部14から襟下部15に密着させる棒状の本体1，1と、襟を襟台16裏側から挟着する樋形状の挟着具2，2と、挟着具2，2の主体部2a，2aの後方に接続部2b，2bを設け、本体1，1の下方部と挟着具2，2の接続部2b，2bを連結する軸4，4を一対とし、軸4，4によって本体1，1と挟着具2，2を回動自在に軸支し、本体1，1と挟着具2，2によって襟を挟み込ませるシャツ襟ロール具。
【請求項３】
襟中部14から襟下部15に密着させる棒状の本体1，1と、襟を襟台16裏側から挟着する、板状の主体部6a，6a，7a，7aの先方に幅広の挟持部6b，6b，7b，7bを形成した正面挟持片６と背面挟持片７からなり、正面挟持片6，6の主体部6a，6aの両側縁に後方への折り返し部6c，6c，6c，6cを、背面挟持片7，7の主体部7a，7aの両側縁に前方への折り返し部7c，7c，7c，7cを設け、正面挟持片6，6の折り返し部6c，6c，6c，6cと背面挟持片7，7の折り返し部7c，7c，7c，7cを連結する軸8，8によって正面挟持片6，6と背面挟持片7，7を回動自在に軸支し、バネ9，9によって挟持部6b，6b，7b，7bを閉じる方向に付勢する挟着具2A，2Aと、襟台16と襟上部13裏側との間に挿入する略三角形状の襟支持板3，3と、本体1，1の下方三分の一の位置と襟支持板3，3の下方部を連結する軸5，5を一対とし、軸5，5によって本体1，1と襟支持板3，3を、回動自在に軸支する、本体1，1および襟支持板3，3と挟着具2A，2Aによって襟を挟み込ませるシャツ襟ロール具。
【請求項４】
襟中部14から襟下部15に密着させる棒状の本体1，1と、襟を襟台16裏側から挟着する、板状の主体部6a，6a，7a，7aの先方に幅広の挟持部6b，6b，7b，7bを形成した正面挟持片６と背面挟持片７からなり、正面挟持片6，6の主体部6a，6aの両側縁に後方への折り返し部6c，6c，6c，6cを、背面挟持片7，7の主体部7a，7aの両側縁に前方への折り返し部7c，7c，7c，7cを設け、正面挟持片6，6の折り返し部6c，6c，6c，6cと背面挟持片7，7の折り返し部7c，7c，7c，7cを連結する軸8，8によって正面挟持片6，6と背面挟持片7，7を回動自在に軸支し、バネ9，9によって挟持部6b，6b，7b，7bを閉じる方向に付勢する挟着具2A，2Aを一対とした本体1，1と挟着具2A，2Aによって襟を挟み込ませるシャツ襟ロール具。
【請求項５】
襟台16外側と襟上部13から襟中部14裏側に密着させる楔型の形状をした主体部1a，1aの片側縁に、前立て17および襟台16を支持する斜め下方向への折り返し部1b，1bを設けた上面挟着片1A，1Aと、主体部1a，1aの下方に位置する襟中部14から襟下部15に密着させる棒形状の下面挟着片2B，2Bと、上面挟着片1A，1Aと下面挟着片2B，2Bを連結する軸4a，4aを一対とし、軸4a，4aによって上面挟着片1A，1Aと下面挟着片2B，2Bを回動自在に軸支し、上面挟着片1A，1Aと下面挟着片2B，2Bによって襟を挟み込ませるシャツ襟ロール具。
【発明の詳細な説明】
【技術分野】
【０００１】
本発明はあらゆるシャツの襟部に立体的な美観のあるロールが簡単に形成でき、しかもその型を型崩れさせることなく持続させることが可能なシャツ襟ロール具に関するものである。
【背景技術】
【０００２】
従来は登録実用案３０３９８１１号が示すようにシャツの襟に立体的な美観のあるロールを形成させるにはシャツ自体に特殊な曲面形状の板を収納させるしかなかったので市販されているシャツ全般に襟にロールを形成させるにはシャツ本体の襟の構造を改良するほかなかった。
【０００３】
この改善策として襟中部14から襟下部15に密着させる棒状の本体1，1と、襟台16裏側から襟を挟着する樋形状の挟着具2，2と、襟台16と襟上部13裏側との間に挿入する略三角形状の襟支持板3，3と、挟着具2，2の主体部2a，2aの後方に接続部2b，2bを設け、本体1，1の下方部と挟着具2，2の接続部2b，2bを連結する軸4，4と、本体1，1の下方三分の一の位置と襟支持板3，3の下方部を連結する軸5，5を一対とし、軸4，4によって本体1，1と挟着具2，2を回動自在に軸支し、軸5，5によって本体1，1と襟支持板3，3を、回動自在に軸支する、本体1，1および襟支持板3，3と挟着具2，2によって襟を挟み込ませるシャツ襟ロール具を襟に挟み込ませることによって市販されているシャツ全般に襟の構造を改良することなく襟に立体的な美観のあるロールを形成させることが可能になった。
【０００４】
【特許文献１】登録実用案３０３９８１１号
【発明の開示】
【発明が解決しようとする課題】
【０００５】
解決しようとする問題点は市販されているシャツ全般に襟の構造を改良することなく立体的な美観のあるロールを襟に形成させる器具を作ること。
【課題を解決するための手段】
【０００６】
襟中部14から襟下部15に密着させる棒状の本体1，1と、襟台16裏側から襟を挟着する樋形状の挟着具2，2と、襟台16と襟上部13裏側との間に挿入する略三角形状の襟支持板3，3と、挟着具2，2の主体部2a，2aの後方に接続部2b，2bを設け、本体1，1の下方部と挟着具2，2の接続部2b，2bを連結する軸4，4と、本体1，1の下方三分の一の位置と襟支持板3，3の下方部を連結する軸5，5を一対とし、軸4，4によって本体1，1と挟着具2，2を回動自在に軸支し、軸5，5によって本体1，1と襟支持板3，3を、回動自在に軸支する、本体1，1および襟支持板3，3と挟着具2，2によって襟を挟み込ませるシャツ襟ロール具を襟に挟み込ませることによって市販されているシャツ全般に襟の構造を改良することなく襟に立体的な美観のあるロールを形成させることができる。
【０００７】
立体的に美観のあるロールは襟上部13で外側に膨らみ且つ襟下部15で内側に凹むＳ字型のロールが好ましいが襟台16および襟が短い場合など襟上部13から襟下部15にかけて内側に凹む円弧状のロールを描くようにすることも可能である。
【発明の効果】
【０００８】
本発明に係るシャツ襟ロール具を装着するだけで簡単に、また短時間であらゆるシャツの襟部に立体的に美観のあるロールを形成させることができ、しかもその型を型崩れさせることなく持続させることができる。
【０００９】
本発明に係るシャツ襟ロール具は開襟状態を想定したものである。開襟にした時に襟台16が外側に開き、自然な曲線を描きながらきれいに胸元が開く。また襟部には立体的な美観のあるロールが形成される。
【００１０】
本発明に係るシャツ襟ロール具は開襟状態を想定したものである。しかしながら第一ボタンを留めた時でも襟に立体的な美観のあるロールが形成される。
【００１１】
本発明に係るシャツ襟ロール具は開襟状態を想定したものである。しかしながら第一ボタンを留め、ネクタイを着用した時でも襟に立体的な美観のあるロールが形成される。
【発明を実施するための最良の形態】
【００１２】
以下本発明の実施の形態を図示例と共に説明する。
【００１３】
図１は本発明の実施の形態の一例を示す全体の斜視図である。本発明に係るシャツ襟ロール具は左襟挟着具と右襟挟着具の一対の挟着具で構成する。一対の挟着具は、それぞれ襟中部14から襟下部15に密着させる棒状の本体1，1と、本体1，1を襟台16裏側から挟み込む挟着具2，2と、本体1，1の下方三分の一の位置に襟台16と襟上部13裏側との間に挿入する襟支持板3，3を形成している。
【００１４】
挟着具2，2は樋形状の主体部2a，2aと主体部2a，2aの後方に接続部2b，2bを設けた形状である。また挟着具2，2は本体1，1の下方と接続部2b，2bを連結する軸4，4によって本体1，1と回動自在に軸支されている。
【００１５】
襟支持板3，3は略三角形状で上辺二辺から底辺にいくにつれ、厚みが漸減する形状である。また襟支持板3，3は襟支持板3，3の下方部と本体1，1を連結する軸5，5によって本体1，1と回動自在に軸支されている。
【００１６】
図１３は本発明の第２の形態例を示す全体の斜視図である。前記襟支持板3，3がなく、棒状の本体1，1と、樋形状の挟着具2，2と、挟着具2，2の主体部2a，2aの後方に接続部2b，2bを設け、本体1，1の下方部と挟着具2，2の接続部2b，2bを連結する軸4，4を一対とし、軸4，4によって本体1，1と挟着具2，2を回動自在に軸支するシャツ襟ロール具である。
【００１７】
図１４は本発明の第３の形態例を示す全体の斜視図である。棒状の本体1，1と、板状の主体部6a，6a，7a，7aの先方に幅広の挟持部6b，6b，7b，7bを形成した正面挟持片６と背面挟持片７からなり、、正面挟持片6，6の主体部6a，6aの両側縁に後方への折り返し部6c，6c，6c，6cを、背面挟持片7，7の主体部7a，7aの両側縁に前方への折り返し部7c，7c，7c，7cを設け、正面挟持片6，6の折り返し部6c，6c，6c，6cと背面挟持片7，7の折り返し部7c，7c，7c，7cを連結する軸8，8によって正面挟持片6，6と背面挟持片7，7を回動自在に軸支し、バネ9，9によって挟持部6b，6b，7b，7bを閉じる方向に付勢する挟着具2A，2Aと略三角形状の襟支持板3，3と、本体1，1の下方三分の一の位置と襟支持板3，3の上方部を連結する軸5，5を一対とし、軸5，5によって本体1，1と襟支持板3，3を回動自在に軸支するシャツ襟ロール具である。
【００１８】
図１５は本発明の第４の形態例を示す全体の斜視図である。前記襟支持板3，3がなく、棒状の本体1，1と、板状の主体部6a，6a，7a，7aの先方に幅広の挟持部6b，6b，7b，7bを形成した正面挟持片６と背面挟持片７からなり、正面挟持片6，6の主体部6a，6aの両側縁に後方への折り返し部6c，6c，6c，6cを、背面挟持片7，7の主体部7a，7aの両側縁に前方への折り返し部7c，7c，7c，7cを設け、正面挟持片6，6の折り返し部6c，6c，6c，6cと背面挟持片7，7の折り返し部7c，7c，7c，7cを連結する軸8，8によって正面挟持片6，6と背面挟持片7，7を回動自在に軸支し、バネ9，9によって挟持部6b，6b，7b，7bを閉じる方向に付勢する挟着具2A，2Aを一対としたシャツ襟ロール具である。
【００１９】
挟着具2A，2Aは板状の主体部の先方に幅広の挟持部を形成した正面挟持片６と背面挟持片７を一対とし、正面挟持片６の主体部6aの左右両側縁に後方への折り返し部6c，6cを、背面挟持片７の主体部7aの左右両側縁に前方への折り返し部7c，7cを設け、正面挟持片６の折り返し部6c，6cと背面挟持片７の折り返し部7c，7cを連結する軸８によって正面挟持片６と背面挟持片７を回動自在に軸支し、バネ９によって挟持部6b，7bを閉じる方向に付勢する。
【００２０】
図１６は本発明の第５の形態例を示す全体の斜視図である。襟台16外側と襟上部13から襟中部14裏側に密着させる楔型の形状をした主体部1a，1aの片側縁に前立て17および襟台16を支持する斜め下方向への折り返し部1b，1bを設けた上面挟着片1A，1Aと、主体部1a，1aの下方に位置する襟中部14から襟下部15に密着させる棒形状の下面挟着片2B，2Bと、上面挟着片1A，1Aと下面挟着片2B，2Bを連結する軸4a，4aを一対とし、軸4a，4aによって上面挟着片1A，1Aと下面挟着片2B，2Bを回動自在に軸支したシャツ襟ロール具であり、何れの形態例の場合も先の形態例と同様の効果を奏することができる。
【００２１】
軸4a，4aの全体の形状は棒形状で上下部分は一回り大きくなっており、軸4a，4aが上面挟着片1A，1Aの主体部1a，1aおよび下面挟着片2B，2Bから抜けないように上下で挟み込む形状になっている（図１８参照）。また軸4a，4aの中間部分には円形のオス形10，10、メス形11，11が付いており（図２０参照）、オス形10，10およびメス形11，11の作用により、下面挟着片2B，2Bが70度以上回動するのを止め、また下面挟着片2B，2Bが閉口時にはオス形10，10の凸部10a，10aがメス形11，11の凹部11a，11aに合致し、自然力では外れない仕組みになっている（図２１・２２参照）。またオス形10，10、メス形11，11の上面挟着片1A，1Aの主体部1a，1aおよび下面挟着片2B，2Bに埋没してない部分の厚み１２はシャツの生地の想定される最大限の厚みと同等の厚みになっており、シャツの生地を挟み込んだ状態でも痛めない仕組みになっている（図２３参照）。
【００２２】
このように構成してこれを使用するには支持板3，3を初期状態から左回りに45度回動させ、挟着具2，2も右回りに140度回動させる（図５参照）。そして支持板3，3を襟台16と襟上部13裏側との間に挿入する（図６参照）。そして本体1，1を下方向に回動させ襟上部13と襟中部14を上記支持板3，3と本体1，1で挟み込ませる（図７参照）。さらに襟台16および襟上部13裏側を固定したまま本体1，1、支持板3，3と共に外側に回転させる（図８参照）。そして開いた状態の挟着具2，2を回動させ初期状態に戻し、前立て17および襟台16、襟下部15を裏側から挟み込ませる（図９参照）。もう一方の襟も同様の手順で襟を挟み込ませる（図１０・１１参照）。そして10分間この状態を維持することにより襟にS字型のロールが形成される（図１２参照）。
【図面の簡単な説明】
【００２３】
【図１】本発明に係るシャツ襟ロール具の実施の形態を示す斜視図である。
【図２】本発明に係るシャツ襟ロール具の実施の形態を示す平面図である。
【図３】本発明に係るシャツ襟ロール具の挟着具2，2、襟支持板3，3を軸4、軸5を中心に初期状態から45度回動させた形態を示す平面図である。
【図４】本発明に係るシャツ襟ロール具の実施の形態を示す正面図である。
【図５】本発明に係るシャツ襟ロール具の手順を示す説明図である。
【図６】本発明に係るシャツ襟ロール具の手順を示す説明図である。
【図７】本発明に係るシャツ襟ロール具の手順を示す説明図である。
【図８】本発明に係るシャツ襟ロール具の手順を示す説明図である。
【図９】本発明に係るシャツ襟ロール具の手順を示す説明図である。
【図１０】本発明に係るシャツ襟ロール具の手順を示す説明図である。
【図１１】本発明に係るシャツ襟ロール具の手順を示す説明図である。
【図１２】本発明に係るシャツ襟ロール具を襟に挟み込ませることによって襟にS字型のロールが形成されたシャツの説明図である。
【図１３】本発明に係るシャツ襟ロール具の第２の実施の形態を示す斜視図である。
【図１４】本発明に係るシャツ襟ロール具の第３の実施の形態を示す斜視図である。
【図１５】本発明に係るシャツ襟ロール具の第４の実施の形態を示す斜視図である。
【図１６】本発明に係るシャツ襟ロール具の第５の実施の形態を示す斜視図である。
【図１７】本発明の第５の実施の形態に係るシャツ襟ロール具の軸4aを中心に下面挟着片2B，2Bを初期状態から70度回動させた形態を示す平面図である。.
【図１８】本発明の第５の実施の形態に係るシャツ襟ロール具の軸4aの正面図である。
【図１９】本発明の第５の実施の形態に係るシャツ襟ロール具の軸4aの上面図および下面図である。
【図２０】本発明の第５の実施の形態に係るシャツ襟ロール具の軸4aに付属のオス形10およびメス形11の上面図である。
【図２１】本発明の第５の実施の形態係るシャツ襟ロール具の軸4aに付属のオス形10およびメス形11の斜視図である。
【図２２】本発明の第５の実施の形態に係るシャツ襟ロール具の軸4aの透視図である。
【図２３】本発明の第５の実施の形態を示す左側面図および一部拡大図である。
【符号の説明】
【００２４】
1  本体
1A  上面挟着片
1a  主体部
1b  折り返し部
2  挟着具
2a  主体部
2b  接続部
2A  挟着具（クリップ）
2B  下面挟着片
3  襟支持板
4  軸
4a  軸
5  軸
6  正面挟持片
6a  主体部
6b  挟持部
6c  折り返し部  
7  背面挟持片
7a  主体部
7b  挟持部
7c  折り返し部  
8  軸
9  バネ
10  オス形
10a  凸部
11  メス形
11a  凹部
12  オス型オス形10，10、メス形11，11の上面挟着片1A，1Aの主体部1a，1aおよび下面挟着片2B，2Bに埋没してない部分の厚み
13  襟上部
14  襟中部
15  襟下部
16  襟台
17  前立て
【図１】
2007146308.tif 000003
【図２】
2007146308.tif 000004
【図３】
2007146308.tif 000005
【図４】
2007146308.tif 000006
【図５】
2007146308.tif 000007
【図６】
2007146308.tif 000008
【図７】
2007146308.tif 000009
【図８】
2007146308.tif 000010
【図９】
2007146308.tif 000011
【図１０】
2007146308.tif 000012
【図１１】
2007146308.tif 000013
【図１２】
2007146308.tif 000014
【図１３】
2007146308.tif 000015
【図１４】
2007146308.tif 000016
【図１５】
2007146308.tif 000017
【図１６】
2007146308.tif 000018
【図１７】
2007146308.tif 000019
【図１８】
2007146308.tif 000020
【図１９】
2007146308.tif 000021
【図２０】
2007146308.tif 000022
【図２１】
2007146308.tif 000023
【図２２】
2007146308.tif 000024
【図２３】
2007146308.tif 000025
【手続補正書】
【提出日】平成18年2月2日(2006.2.2)
【手続補正１】
【補正対象書類名】特許請求の範囲
【補正対象項目名】全文
【補正方法】変更
【補正の内容】
【特許請求の範囲】
【請求項１】
襟中部14から襟下部15に密着させる棒状の本体1，1と、襟台16裏側から襟を挟着する樋形状の挟着具2，2と、襟台16と襟上部13裏側との間に挿入する略三角形状の襟支持板3，3と、挟着具2，2の主体部2a，2aの後方に接続部2b，2bを設け、本体1，1の下方部と挟着具2，2の接続部2b，2bを連結する軸4，4と、本体1，1の下方三分の一の位置と襟支持板3，3の下方部を連結する軸5，5を一対とし、軸4，4によって本体1，1と挟着具2，2を回動自在に軸支し、軸5，5によって本体1，1と襟支持板3，3を、回動自在に軸支する、本体1，1および襟支持板3，3と挟着具2，2によって襟を挟み込ませるシャツ襟ロール具。
【請求項２】
襟中部14から襟下部15に密着させる棒状の本体1，1と、襟を襟台16裏側から挟着する、板状の主体部6a，6a，7a，7aの先方に幅広の挟持部6b，6b，7b，7bを形成した正面挟持片６と背面挟持片７からなり、正面挟持片6，6の主体部6a，6aの両側縁に後方への折り返し部6c，6c，6c，6cを、背面挟持片7，7の主体部7a，7aの両側縁に前方への折り返し部7c，7c，7c，7cを設け、正面挟持片6，6の折り返し部6c，6c，6c，6cと背面挟持片7，7の折り返し部7c，7c，7c，7cを連結する軸8，8によって正面挟持片6，6と背面挟持片7，7を回動自在に軸支し、バネ9，9によって挟持部6b，6b，7b，7bを閉じる方向に付勢する挟着具2A，2Aと、襟台16と襟上部13裏側との間に挿入する略三角形状の襟支持板3，3と、本体1，1の下方三分の一の位置と襟支持板3，3の下方部を連結する軸5，5を一対とし、軸5，5によって本体1，1と襟支持板3，3を、回動自在に軸支する、本体1，1および襟支持板3，3と挟着具2A，2Aによって襟を挟み込ませるシャツ襟ロール具。
【請求項３】
襟台16外側と襟上部13から襟中部14裏側に密着させる楔型の形状をした主体部1a，1aの片側縁に、前立て17および襟台16を支持する斜め下方向への折り返し部1b，1bを設けた上面挟着片1A，1Aと、主体部1a，1aの下方に位置する襟中部14から襟下部15に密着させる棒形状の下面挟着片2B，2Bと、上面挟着片1A，1Aと下面挟着片2B，2Bを連結する軸4a，4aを一対とし、軸4a，4aによって上面挟着片1A，1Aと下面挟着片2B，2Bを回動自在に軸支し、上面挟着片1A，1Aと下面挟着片2B，2Bによって襟を挟み込ませるシャツ襟ロール具。
【手続補正２】
【補正対象書類名】明細書
【補正対象項目名】全文
【補正方法】変更
【補正の内容】
【発明の詳細な説明】
【技術分野】
【０００１】
本発明はあらゆるシャツの襟部に立体的な美観のあるロールが簡単に形成でき、しかもその型を型崩れさせることなく持続させることが可能なシャツ襟ロール具に関するものである。
【背景技術】
【０００２】
従来は登録実用案３０３９８１１号が示すようにシャツの襟に立体的な美観のあるロールを形成させるにはシャツ自体に特殊な曲面形状の板を収納させるしかなかったので市販されているシャツ全般に襟にロールを形成させるにはシャツ本体の襟の構造を改良するほかなかった。
【０００３】
この改善策として襟中部14から襟下部15に密着させる棒状の本体1，1と、襟台16裏側から襟を挟着する樋形状の挟着具2，2と、襟台16と襟上部13裏側との間に挿入する略三角形状の襟支持板3，3と、挟着具2，2の主体部2a，2aの後方に接続部2b，2bを設け、本体1，1の下方部と挟着具2，2の接続部2b，2bを連結する軸4，4と、本体1，1の下方三分の一の位置と襟支持板3，3の下方部を連結する軸5，5を一対とし、軸4，4によって本体1，1と挟着具2，2を回動自在に軸支し、軸5，5によって本体1，1と襟支持板3，3を、回動自在に軸支する、本体1，1および襟支持板3，3と挟着具2，2によって襟を挟み込ませるシャツ襟ロール具を襟に挟み込ませることによって市販されているシャツ全般に襟の構造を改良することなく襟に立体的な美観のあるロールを形成させることが可能になった。
【０００４】
【特許文献１】登録実用案３０３９８１１号
【発明の開示】
【発明が解決しようとする課題】
【０００５】
解決しようとする問題点は市販されているシャツ全般に襟の構造を改良することなく立体的な美観のあるロールを襟に形成させる器具を作ること。
【課題を解決するための手段】
【０００６】
襟中部14から襟下部15に密着させる棒状の本体1，1と、襟台16裏側から襟を挟着する樋形状の挟着具2，2と、襟台16と襟上部13裏側との間に挿入する略三角形状の襟支持板3，3と、挟着具2，2の主体部2a，2aの後方に接続部2b，2bを設け、本体1，1の下方部と挟着具2，2の接続部2b，2bを連結する軸4，4と、本体1，1の下方三分の一の位置と襟支持板3，3の下方部を連結する軸5，5を一対とし、軸4，4によって本体1，1と挟着具2，2を回動自在に軸支し、軸5，5によって本体1，1と襟支持板3，3を、回動自在に軸支する、本体1，1および襟支持板3，3と挟着具2，2によって襟を挟み込ませるシャツ襟ロール具を襟に挟み込ませることによって市販されているシャツ全般に襟の構造を改良することなく襟に立体的な美観のあるロールを形成させることができる。
【０００７】
立体的に美観のあるロールは襟上部13で外側に膨らみ且つ襟下部15で内側に凹むＳ字型のロールが好ましいが襟台16および襟が短い場合など襟上部13から襟下部15にかけて内側に凹む円弧状のロールを描くようにすることも可能である。
【発明の効果】
【０００８】
本発明に係るシャツ襟ロール具を装着するだけで簡単に、また短時間であらゆるシャツの襟部に立体的に美観のあるロールを形成させることができ、しかもその型を型崩れさせることなく持続させることができる。
【０００９】
本発明に係るシャツ襟ロール具は開襟状態を想定したものである。開襟にした時に襟台16が外側に開き、自然な曲線を描きながらきれいに胸元が開く。また襟部には立体的な美観のあるロールが形成される。
【００１０】
本発明に係るシャツ襟ロール具は開襟状態を想定したものである。しかしながら第一ボタンを留めた時でも襟に立体的な美観のあるロールが形成される。
【００１１】
本発明に係るシャツ襟ロール具は開襟状態を想定したものである。しかしながら第一ボタンを留め、ネクタイを着用した時でも襟に立体的な美観のあるロールが形成される。
【発明を実施するための最良の形態】
【００１２】
以下本発明の実施の形態を図示例と共に説明する。
【００１３】
図１は本発明の実施の形態の一例を示す全体の斜視図である。本発明に係るシャツ襟ロール具は左襟挟着具と右襟挟着具の一対の挟着具で構成する。一対の挟着具は、それぞれ襟中部14から襟下部15に密着させる棒状の本体1，1と、本体1，1を襟台16裏側から挟み込む挟着具2，2と、本体1，1の下方三分の一の位置に襟台16と襟上部13裏側との間に挿入する襟支持板3，3を形成している。
【００１４】
挟着具2，2は樋形状の主体部2a，2aと主体部2a，2aの後方に接続部2b，2bを設けた形状である。また挟着具2，2は本体1，1の下方と接続部2b，2bを連結する軸4，4によって本体1，1と回動自在に軸支されている。
【００１５】
襟支持板3，3は略三角形状で上辺二辺から底辺にいくにつれ、厚みが漸減する形状である。また襟支持板3，3は襟支持板3，3の下方部と本体1，1を連結する軸5，5によって本体1，1と回動自在に軸支されている。
【００１６】
図１３は本発明の第２の形態例を示す全体の斜視図である。棒状の本体1，1と、板状の主体部6a，6a，7a，7aの先方に幅広の挟持部6b，6b，7b，7bを形成した正面挟持片６と背面挟持片７からなり、正面挟持片6，6の主体部6a，6aの両側縁に後方への折り返し部6c，6c，6c，6cを、背面挟持片7，7の主体部7a，7aの両側縁に前方への折り返し部7c，7c，7c，7cを設け、正面挟持片6，6の折り返し部6c，6c，6c，6cと背面挟持片7，7の折り返し部7c，7c，7c，7cを連結する軸8，8によって正面挟持片6，6と背面挟持片7，7を回動自在に軸支し、バネ9，9によって挟持部6b，6b，7b，7bを閉じる方向に付勢する挟着具2A，2Aと略三角形状の襟支持板3，3と、本体1，1の下方三分の一の位置と襟支持板3，3の上方部を連結する軸5，5を一対とし、軸5，5によって本体1，1と襟支持板3，3を回動自在に軸支するシャツ襟ロール具である。
【００１７】
挟着具2A，2Aは板状の主体部の先方に幅広の挟持部を形成した正面挟持片６と背面挟持片７を一対とし、正面挟持片６の主体部6aの左右両側縁に後方への折り返し部6c，6cを、背面挟持片７の主体部7aの左右両側縁に前方への折り返し部7c，7cを設け、正面挟持片６の折り返し部6c，6cと背面挟持片７の折り返し部7c，7cを連結する軸８によって正面挟持片６と背面挟持片７を回動自在に軸支し、バネ９によって挟持部6b，7bを閉じる方向に付勢する。
【００１８】
図１４は本発明の第３の形態例を示す全体の斜視図である。襟台16外側と襟上部13から襟中部14裏側に密着させる楔型の形状をした主体部1a，1aの片側縁に前立て17および襟台16を支持する斜め下方向への折り返し部1b，1bを設けた上面挟着片1A，1Aと、主体部1a，1aの下方に位置する襟中部14から襟下部15に密着させる棒形状の下面挟着片2B，2Bと、上面挟着片1A，1Aと下面挟着片2B，2Bを連結する軸4a，4aを一対とし、軸4a，4aによって上面挟着片1A，1Aと下面挟着片2B，2Bを回動自在に軸支したシャツ襟ロール具であり、何れの形態例の場合も先の形態例と同様の効果を奏することができる。
【００１９】
軸4a，4aの全体の形状は棒形状で上下部分は一回り大きくなっており、軸4a，4aが上面挟着片1A，1Aの主体部1a，1aおよび下面挟着片2B，2Bから抜けないように上下で挟み込む形状になっている（図１６参照）。また軸4a，4aの中間部分には円形のオス形10，10、メス形11，11が付いており（図１８参照）、オス形10，10およびメス形11，11の作用により、下面挟着片2B，2Bが70度以上回動するのを止め、また下面挟着片2B，2Bが閉口時にはオス形10，10の凸部10a，10aがメス形11，11の凹部11a，11aに合致し、自然力では外れない仕組みになっている（図１９・２０参照）。またオス形10，10、メス形11，11の上面挟着片1A，1Aの主体部1a，1aおよび下面挟着片2B，2Bに埋没してない部分の厚み１２はシャツの生地の想定される最大限の厚みと同等の厚みになっており、シャツの生地を挟み込んだ状態でも痛めない仕組みになっている（図２１参照）。
【００２０】
このように構成してこれを使用するには支持板3，3を初期状態から左回りに45度回動させ、挟着具2，2も右回りに140度回動させる（図５参照）。そして支持板3，3を襟台16と襟上部13裏側との間に挿入する（図６参照）。そして本体1，1を下方向に回動させ襟上部13と襟中部14を上記支持板3，3と本体1，1で挟み込ませる（図７参照）。さらに襟台16および襟上部13裏側を固定したまま本体1，1、支持板3，3と共に外側に回転させる（図８参照）。そして開いた状態の挟着具2，2を回動させ初期状態に戻し、前立て17および襟台16、襟下部15を裏側から挟み込ませる（図９参照）。もう一方の襟も同様の手順で襟を挟み込ませる（図１０・１１参照）。そして10分間この状態を維持することにより襟にS字型のロールが形成される（図１２参照）。
【図面の簡単な説明】
【００２１】
【図１】本発明に係るシャツ襟ロール具の実施の形態を示す斜視図である。
【図２】本発明に係るシャツ襟ロール具の実施の形態を示す平面図である。
【図３】本発明に係るシャツ襟ロール具の挟着具2，2、襟支持板3，3を軸4、軸5を中心に初期状態から45度回動させた形態を示す平面図である。
【図４】本発明に係るシャツ襟ロール具の実施の形態を示す正面図である。
【図５】本発明に係るシャツ襟ロール具の手順を示す説明図である。
【図６】本発明に係るシャツ襟ロール具の手順を示す説明図である。
【図７】本発明に係るシャツ襟ロール具の手順を示す説明図である。
【図８】本発明に係るシャツ襟ロール具の手順を示す説明図である。
【図９】本発明に係るシャツ襟ロール具の手順を示す説明図である。
【図１０】本発明に係るシャツ襟ロール具の手順を示す説明図である。
【図１１】本発明に係るシャツ襟ロール具の手順を示す説明図である。
【図１２】本発明に係るシャツ襟ロール具を襟に挟み込ませることによって襟にS字型のロールが形成されたシャツの説明図である。
【図１３】本発明に係るシャツ襟ロール具の第２の実施の形態を示す斜視図である。
【図１４】本発明に係るシャツ襟ロール具の第３の実施の形態を示す斜視図である。
【図１５】本発明の第３の実施の形態に係るシャツ襟ロール具の軸4aを中心に下面挟着片2B，2Bを初期状態から70度回動させた形態を示す平面図である。
【図１６】本発明の第３の実施の形態に係るシャツ襟ロール具の軸4aの正面図である。
【図１７】本発明の第３の実施の形態に係るシャツ襟ロール具の軸4aの上面図および下面図である。
【図１８】本発明の第３の実施の形態に係るシャツ襟ロール具の軸4aに付属のオス形10およびメス形11の上面図である。
【図１９】本発明の第３の実施の形態係るシャツ襟ロール具の軸4aに付属のオス形10およびメス形11の斜視図である。
【図２０】本発明の第３の実施の形態に係るシャツ襟ロール具の軸4aの透視図である。
【図２１】本発明の第３の実施の形態を示す左側面図および一部拡大図である。
【符号の説明】
【００２２】
1  本体
1A  上面挟着片
1a  主体部
1b  折り返し部
2  挟着具
2a  主体部
2b  接続部
2A  挟着具（クリップ）
2B  下面挟着片
3  襟支持板
4  軸
4a  軸
5  軸
6  正面挟持片
6a  主体部
6b  挟持部
6c  折り返し部  
7  背面挟持片
7a  主体部
7b  挟持部
7c  折り返し部  
8  軸
9  バネ
10  オス形
10a  凸部
10a  凸部
11  メス形
11a  凹部
12  オス型オス形10，10、メス形11，11の上面挟着片1A，1Aの主体部1a，1aおよび下面挟着片2B，2Bに埋没してない部分の厚み
13  襟上部
14  襟中部
15  襟下部
16  襟台
前立て
【手続補正３】
【補正対象書類名】図面
【補正対象項目名】全図
【補正方法】変更
【補正の内容】
【図１】
2007146308.tif 000026
【図２】
2007146308.tif 000027
【図３】
2007146308.tif 000028
【図４】
2007146308.tif 000029
【図５】
2007146308.tif 000030
【図６】
2007146308.tif 000031
【図７】
2007146308.tif 000032
【図８】
2007146308.tif 000033
【図９】
2007146308.tif 000034
【図１０】
2007146308.tif 000035
【図１１】
2007146308.tif 000036
【図１２】
2007146308.tif 000037
【図１３】
2007146308.tif 000038
【図１４】
2007146308.tif 000039
【図１５】
2007146308.tif 000040
【図１６】
2007146308.tif 000041
【図１７】
2007146308.tif 000042
【図１８】
2007146308.tif 000043
【図１９】
2007146308.tif 000044
【図２０】
2007146308.tif 000045
【図２１】
2007146308.tif 000046